(57)【特許請求の範囲】
【請求項１】
山にしっかりと固定されるシート（１３）に前段の端を固定し、少なくとも１つの脚部（１４）で後段の端を支持して、雪の表面部の上に砲口を配置するガス砲（１２）を含み、ガス砲（１２）の前段の端が、連結部（１７）によりシート（１３）に固定され、後段の端が、バラストを積まれており、脚部（１４）が、地表に結合されるベース（１５）に固定されずに設置されるようになっていることを特徴とする雪崩開始装置。
【請求項２】
ガス砲の後段の端に、砲口付近に取り付けられるバラスト（１１５）を積まれていることを特徴とする、請求項１に記載の装置。
【請求項３】
バラストが、砂利や砕石またはコンクリートを含むタンク（１１６）を備え、砂利や砕石またはコンクリートは、前記タンクに設けた開口部（１１７）から入れられるようになっていることを特徴とする請求項２に記載の装置。
【請求項４】
ガス砲の後段の端に、この後段の端を支持する脚部（１４）内に収容されたバラストを積まれていることを特徴とする請求項１に記載の装置。
【請求項５】
脚部（１４）が、中空であり、砂利や砕石またはコンクリートからなるバラストを含むことを特徴とする請求項４に記載の装置。
【請求項６】
脚部（１４）が、山腹にしっかりと固定されるベース（１５）に固定されずに設置されるようになっていることを特徴とする請求項１に記載の装置。
【請求項７】
脚部が、ほぼ垂直に配置され、水平軸（２０）の連結部（１９）によって、ガス砲（１２）に連結されていることを特徴とする請求項１に記載の装置。
【請求項８】
ガス砲の前段の端付近に配置される点火手段（５４）を備えていることを特徴とする請求項１に記載の装置。
【請求項９】
点火手段（５４）が、少なくとも１つの点火プラグ（２６）を含み、この点火プラグ（２６）が、２状態マイクロ遮断器（３１）に接続される圧力調整器（３０）と、コンデンサ（３３）と、電池（３５）と、起爆装置（３７）とを含み、前記マイクロ遮断器は、第１の状態にあるときに、起爆装置とコンデンサとを接続し、第２の状態にあるときに、電池とコンデンサとを接続するように構成されていることを特徴とする請求の範囲第８項に記載の装置。
【請求項１０】
シート（１３）を脚部（１４）に接続する安全ロープ（２２）を含むことを特徴とする請求項１のいずれかに記載の装置。
【請求項１１】
脚部を支持するベース（１５）に垂直に配置される留めピン（２５）を含むことを特徴とする請求項１〜１０のいずれかに記載の装置。
【請求項１２】
脚部（１４）の支持ベース（１５）はコンクリート製であり、前記脚部の落下を緩和するためのゴムプレート（１６）で被覆された鋼鉄製のベースプレート（９）を含むことを特徴とする請求項６に記載の装置。
【発明の詳細な説明】
技術分野
本発明は、しっかりと固定されるシート（１３）に前段の端を固定し、かつ少なくとも１つの脚部（１４）で後段の端を支持して、雪の表面部の上に砲口を配置するようにしたガス砲を含む、雪崩開始装置に関する。
従来技術
山腹に固定して取り付けられるガス砲を含み、ガス砲の底が、コンクリート製のブロックからなるシートにしっかりと固定され、砲口が雪の表面部の上に通じている、米国特許第５１０７７６５号明細書に記載されているような雪崩開始装置は知られている。
上記ガス砲は、たとえばスキー場、または居住ゾーンの上の露出ゾーンで雪崩を開始するように構成されている。この装置は、ルンゼのような周知のゾーン、すなわち、急勾配の溝を有し、雪が早く積もって、安定性を保てない臨界質量に達しうるゾーンで雪崩を開始させるのに非常に効果的である。
このような装置は、多量の空気が雪の結晶の中に閉じこめられている、軽くて低密度の雪の層に対して、特に効果的であることが分かっている。爆鳴によって引き起こされる風は、強い圧縮後に、弛緩を伴う波動効果を引き起こし、雪の表面部を破壊して、雪の塊を十分に隆起させ、雪崩を開始させる。そのため、砲口は、必然的に雪の表面部の上に配置される。
この装置は、岩壁に固定されるコンクリート製シートを特に用いた、山腹に対して剛性で、非常に丈夫な固定部を必要とする。このシートは、厳密な意味で、ガス砲の後部基盤を構成している。砲口付近の正面部を支持するために、この装置は、山にしっかりと固定される一つまたは複数の脚部を含んでいる。
発破時には、ガス砲の正面ゾーンに及ぼされる押圧力が、モデルに応じて、８０または１６０トンの値に達するので、これらの脚部を崩れさせる傾向のある発生した力を、特に堅牢な固定手段が発生する反力によって、阻止しなければならない。
このような固定手段は非常に高価であり、固定手段を設けた地面に、安定性および耐性がある場合にしか持ちこたえない。移動したり、不安定であったり、必要な耐性のない地面では、砲口を支持する脚部が、発破のたびに発生する連続牽引力の作用で、安定性を失う傾向がある。
またこれらの装置は、一般に、到達しにくい場所、さらには危険な場所に設置されるので、修理に費用がかかるとともに複雑となる。
発明の開示
本発明は、上記の問題に有効な解決方法を提供して、これらの不都合を解消することを提案するものであり、またこの解決方法は、用地へ設置費用を低下させ、装置の寿命を著しく延ばすことができるという長所を有する。
この目的は、前文で定義したような装置によって達成され、ガス砲の前段の端が、連結部によりシートに固定され、後段の端が、バラストを積まれており、脚部が、地表に結合されるベースに固定されずに設置されていることを特徴としている。
第１の変形実施形態によれば、ガス砲の後段の端が、砲口付近に取り付けられるバラストを積まれる。
前記バラストは、砂利や砕石またはコンクリートを含むタンクを備え、砂利や砕石またはコンクリートは、前記タンクに設けた開口部から入れられる。
第２の変形実施形態によれば、ガス砲の後段の端に、この後段の端を支持する脚部内に収容されるバラストが積まれる。
好適には、前記脚部を中空とし、前記バラストを、前記砂利や砕石またはコンクリートから構成する。
あらゆる実施形態において、脚部が、山腹にしっかりと固定されるベースに固定されずに設置されるとともに、ほぼ垂直に配置され、かつ水平軸の連結部によってガス砲に連結される。
装置が、ガス砲の前段の端付近に配置される点火手段を備えていると有利である。
好適には、前記点火手段が、少なくとも１つの点火プラグを含み、この点火プラグが、２状態マイクロ遮断器に接続される圧力調整器と、コンデンサと、電池と、起爆装置とを含み、マイクロ遮断器が、第１の状態にあるときに起爆装置とコンデンサとを接続し、第２の状態にあるときに、電池とコンデンサとを接続するように構成される。
装置はまた、シートを脚部に接続する安全ロープを含んでいる。
前記装置は、脚部を支持するベースに垂直に配置される留めピンを含み、脚部の前記支持ベースがコンクリート製であり、前記脚部の落下を緩和するためのゴムプレートで被覆された鋼鉄製のベースプレートを含むのが好ましい。
【図面の簡単な説明】
限定的ではなく、単なる例として挙げられた好適な実施形態の説明、および添付図を参照すれば、本発明をいっそうよく理解されると思う。
図１は、本発明による装置の第１の実施形態を示す。
図２は、本発明による装置の第２の実施形態を示す。
図３は、図２に示された装置の詳細図である。
図４は、本発明による装置に装備される点火手段の詳細図である。
発明を実施するための最良の形態
図１に示すように、図示された装置１０は、ガス砲１２を含むガス発破装置１１から主に構成されており、ガス砲１２は、前段の端によってベース１３に固定され、後段の端が脚部１４によって支持されている。この脚部１４は、ベース１５の上に載っており、ベース１５は、ゴムプレート１６で被覆した鋼鉄製のベースプレート９を支持するコンクリートブロックからなっている。シート１３もまた、山腹にしっかりと固定されるコンクリートブロックからなっている。
ガス砲１２は、細長い筒状部品であり、直線区間１２ａと、発破装置の後段の端を構成して砲口を画定する湾曲区間１２ｂとを含んでいる。前段の端は、矢印Ａに従って、ガス砲の相対的な回転を許可する水平軸を備える連結部１７により、シートに固定されている。
脚部１４は、水平軸２０を備える連結部１９により、ガス砲の湾曲区間１２ｂに固定される、ほぼ円筒形の筒状要素からなっている。この連結部は、ガス砲１２の湾曲区間１２ｂの両側に平行に固定される扇形の第１の要素対２１ａと、脚部１４の上部の両側に平行に固定される帯金形の第２の要素対２１ｂとから構成されている。これら２つの要素対は、水平軸２０により相互に連結されている。
脚部１４には、たとえば砂利や砕石またはコンクリートのブロックからなるバラストが積まれている。このブロックは、脚部１４を構成する中空管の内部に配置されている。脚部は実際には、休止段階でガス砲を支持する役割をし、発破時に、ガス砲の後段がガスの爆風の作用で持ち上がると、脚部がこのガス砲からぶらさがる。バラストは、矢印Ａの方向のガス砲の回転を制限し、この脚部が最初の位置に戻るようにするためのものである。
安全ロープ２２は、脚部１４の底をシート１３に接続している。安全ロープ２２は、このシートに固定された帯金２３に固定され、また脚部１４に固定される帯金２４に固定されている。さらに留めピン２５が、ベースプレート９およびゴムプレート１６を通って、ベース１５に固定され、発破後に脚部が、ベース１５に落下しないようにしている。
点火手段５４については、図４に関して詳述するが、雷の問題を回避するために、フローティング取り付けされ、ガス砲１２の後部の上に載せられている。
別の実施形態を図２に示す。前の実施形態とこの変形実施形態との主な相違点は、図１の脚部１４とは異なって、脚部１１４にバラストが積まれておらず、発破後にガス砲の砲口の落下を加速するとともに、このガス砲が爆風によって発生する力の作用で、余りに高く持ち上がらないようにするためのバラストｌ１５が、ガス砲の砲口付近に取り付けられていることにある。
このバラスト１１５は、ガス砲の砲口の付近に取り付けられている。これは好適には、タンク１１６の形状を呈し、その上部開口部１１７に、十分な量の砂利や砕石またはコンクリートが入れられる。
装置の他の構成部品で、既に説明した部品、または以下の図に関してこれから詳しく説明する部品と同様の構成部品には、同じ符号を付けてある。
図３は、図２に示された厳密な意味でのガス砲１２の前段部分を示す詳細図であり、２個の点火コイルの接続端子５０，５１と、燃料ガスおよび酸素を供給する挿入端５２，５３と、点火手段５４とを備えている。可撓管５５が、これらの点火手段を酸素供給端５３に接続している。保護カバー５６は、これら各種部品の上で、折り曲げられて適合するように構成されている。
図４に示すように、点火手段５４は、２個の２状態マイクロ遮断器３１，３２を制御するように構成された圧力調整器３０を含み、この圧力調整器３０は、３個の出力端子、すなわち共通出力と称される端子Ｃと、作動端子と称される端子Ｔと、休止端子と称される端子Ｒとを有する。
点火手段はまた、２個の点火プラグ２６，２７が混合爆鳴気を点火するようになっている図示の例において、２個のコンデンサ３３，３４と、２個の蓄電池３５，３６と、２個の起爆装置３７，３８とを含んでいる。圧力調整装置３０は、可撓管５５により酸素供給管に接続されるか、または前記供給管に直接取り付けられる。
マイクロ遮断器３１，３２は、２つの状態を有する。
休止状態と呼ばれる第１の状態は、如何なるガスも管路内を循環せず、圧力調整装置３０内に圧力がないときである。その場合、コンデンサ３３，３４は、起爆装置３７，３８と閉ループにあり、電池／コンデンサ回路は開いている。
作動状態と呼ばれる第２の状態は、管路内を循環する２つのガスのうちの一方が、圧力調整装置３０内でわずかな過圧を形成するときに得られ、それによって、マイクロ遮断器３１，３２の状態が変わり、休止状態から作動状態に移行する。電池３５，３６は、閉ループでコンデンサ３３，３４に接続され、コンデンサ／起爆装置の回路は開かれるので、コンデンサは、ガスの噴射中ずっと充電される。
発破装置１１へのガスの噴射が終了すると、圧力調整装置３０のダイヤフラムにかかる圧力がゼロになり、マイクロ遮断器３１，３２は休止状態に戻って、コンデンサ／起爆装置の回路を閉じ、電池／コンデンサの回路を開く。そのとき、各コンデンサは、対応する起爆装置内で完全に放電され、約４〜５秒間、関連するプラグに一連の火花を発生させる。マイクロ遮断器は、次のガス噴射まで、この状態に留まる。
２個のプラグを設けるということは限定的なものではない。事実、点火を行うには単一のプラグで十分である。しかし、安全面から、点火システムを２重化するのが有利である。
実際には、前記第１の状態は、酸素が管路内を循環して、可撓管５５を介して、圧力調整器３０内に一定の圧力を形成するときに得られる。コンデンサの放電時には、コンデンサは、コンデンサがそれぞれ供給するプラグに一連の火花を発生させる。
【図１】
0003956060.tif 000002
【図２】
0003956060.tif 000003
【図３】
0003956060.tif 000004
【図４】
0003956060.tif 000005